(57)【要約】【課題】道路などを越波から防護できる透明で比較的安価であり、大きな波力にも耐えうることができる透光防波柵を提供することを目的とする。【解決手段】所定間隔に設置された支柱１０間に透明樹脂折板１６、１８を上下に連続し折板傾斜部で重ね、折板固定用取付金物２４、２６を介して四方をフレーム金物１４にボルト２０で固定一体化し、パネル形状に組み立て、支柱１０と一体化したパネル１２のフレーム金物１４の間に止水と絶縁を兼ねたスポンジゴムパッキン２８を挟み、ボルト３０で固定配置した透光防波柵であり、折板固定用取付金物２４、２６は、透明樹脂折板１６を折板形状の内側に密着できる同形状のボックス型受金物２４と折板形状の外側に密着できる同形状の押え金物フレーム２６で、それぞれ止水用スポンジゴムパッキン２８を介して面で挟む構造とし折板形状の傾斜部の中央を貫通ボルト３０で固定する。【選択図】図１
2008196236.tif 000002
【特許請求の範囲】
【請求項１】
所定の間隔に設置された支柱間に、透明樹脂板を連続した台形型の折板形状に成形加工した透明樹脂折板を上下に連続させるとともに折板傾斜部で重ね密着させ、透明樹脂折板固定用取付金物を介して四方をフレーム金物にボルトで固定一体化したパネル形状に組み立て、前記支柱と一体化したパネルのフレーム金物の間に止水と絶縁を兼ねたスポンジゴムパッキンを挟み込みボルトで固定配置されていることを特徴とする透光防波柵。
【請求項２】
前記透明樹脂折板固定用取付金物は、前記透明樹脂折板を透明樹脂折板の内側形状に密着できる同形状のボックス型受金物と透明樹脂折板の外側形状に密着できる同形状の押え金物フレームで、それぞれ止水用スポンジゴムパッキンを介して、ボックス型受金物と押え金物フレームの面で透明樹脂折板を挟み込む構造とし、折板形状の傾斜部の中央を貫通ボルトで固定されていることを特徴とする請求項１に記載の透光防波柵。
【請求項３】
前記透明樹脂折板は、両面耐候処理されたポリカーボネート製の折板であることを特徴とする請求項１又は２に記載の透光防波柵。
【発明の詳細な説明】
【技術分野】
【０００１】
本発明は、海岸沿いの道路などを越波から防護することができ、透明で視界も充分確保できる比較的安価な透光防波柵に関する。
【背景技術】
【０００２】
海岸沿いの道路などでは、天候の影響により海岸の擁壁を越えて道路まで波が押し寄せ交通障害などを起こし、悩まされている。従来、海岸の擁壁に沿って防波柵を設置することにより、越波対策をしていた。従来の防波柵は、一般的には、所定の間隔に設置された支柱間に有孔鋼板もしくは、鋼板又は、コンクリート板と透明なポリカーボネート平板との組み合わせで配置したものを取り付けることによって対処されていた。
【０００３】
また、比較的に新しい工法として、透明又は半透明のアラミド繊維メッシュ入りシートをパネル化したもの（特許文献１）、防風・防雪・防砂を兼ねた透明樹脂板を用いたものが知られている（特許文献２）。
【特許文献１】特開２００５−３２５５５３号公報
【特許文献２】特開平１１−１４０８２５号公報
【発明の開示】
【発明が解決しようとする課題】
【０００４】
しかしながら、有孔鋼板及び鋼板からなる防波柵は周囲の視界を遮ることから、景観上、また、交通安全上好ましいとは言えず、さらに、日光を遮って融雪や周囲の植樹の成長を阻害するという欠点があり、また、道路の覆道部のような構造規定上外光を取り入れる必要がある場所での防波柵は、鋼板、又はコンクリート板と透明なポリカーボネート平板との組み合わせで設置されているが、ポリカーボネート板を平板で採用しているため、定められた波力(荷重)に耐えうるために板厚の厚いポリカーボネート板が必要となり、加えて窓枠サッシも必要となり、防波柵のコストが非常に高いという課題があった。
【０００５】
一方、特許文献１の如く、透明又は、半透明のアラミド繊維メッシュ入りシートパネルからなる防波柵については、面構造体をアラミド繊維メッシュ入りシートで形成しているため、外力に対して非常に高強度となり、大きな波力（荷重）に対しても充分耐えうる構造となっている。しかしながら、比較的薄いシート状のため、流木・流石又は、道路側からの飛石等による破れ等生じる場合があり、又、シート状のものをパネル化するために組立てが多少複雑になるため高価になるという課題があった。
【０００６】
また、特許文献２の如く、防風・防雪・防砂を兼ねた透明樹脂板を用いた防波柵については、特に吹止式の防雪柵に適した防護柵であって、透明樹脂板の振動の抑制、亀裂の発生等の防止を図った防護柵であって、風圧・波のしぶき荷重程度の荷重には、耐えうる構造となっているが、大きな波力（荷重）には、対応できないという課題がある。
【０００７】
本発明は、このような事情に鑑みてなされたもので、道路などを越波から防護することができる透明で視界の良い比較的安価であり、なおかつ、大きな波力（荷重）にも耐えることができる構造の透光防波柵を提供することを目的としている。
【課題を解決するための手段】
【０００８】
本願請求項１に記載の透光防波柵は、前記目的を達成するために、所定の間隔に設置された支柱間に透明樹脂板を波力（荷重）によって、より経済的な板厚、山高、山間隔(ピッチ)を決定し、連続した台形型の折板形状に成形加工した透明樹脂折板を上下に連続させるとともに折板傾斜部で重ね密着させ、透明樹脂折板固定用取付金物を介して四方をフレーム金物にボルトで固定一体化したパネル形状に組み立て、前記支柱と一体化したパネルのフレーム金物の間に止水と絶縁を兼ねたスポンジゴムパッキンを挟み込みボルトで固定配置されていることを特徴とする。
【０００９】
本願請求項２に記載の透光防波柵は、前記請求項１の透光防波柵において、前記透明樹脂折板固定用取付金物は、大きな波力（荷重）を受けても透明樹脂折板と折板固定用取付金物の脱離を無くし、なおかつ、透明樹脂折板が波力（荷重）を受け変形しても、その変形に折板固定用取付金物が追従でき透明樹脂折板が破壊を起こさない構造にするため、透明樹脂折板を透明樹脂折板の内側形状に密着できる同形状のボックス型受金物と透明樹脂折板の外側形状に密着できる同形状の押え金物フレームで、それぞれ止水用スポンジゴムパッキンを介してボックス型受金物と押え金物フレームの面で透明樹脂折板を挟み込む構造とし、折板形状の傾斜部の中央を貫通ボルトで固定されていることを特徴とする。
【００１０】
本願請求項３に記載の透光防波柵は、前記請求項１又は２の透光防波柵において、前記
透明樹脂折板は、引張強度、曲げ強度、衝撃強度の非常に強い、両面耐候処理されたポリカーボネート製の折板であることを特徴とするものである。
【発明の効果】
【００１１】
本発明に係る透光防波柵によれば、高価なポリカーボネート板を折板形状に成形加工することにより大きな断面係数を得ることができ、大きな波力（荷重）にも耐えうる構造となり、同じ波力（荷重）の条件のもとで、ポリカーボネート平板を採用した場合とポリカーボネート折板を採用した場合を比較すると折板形状のポリカーボネート板の板厚が平板に比べ極端に薄くすることが可能となり、材料コストを下げることができ、比較的安価な透光防波柵を提供することができる。また、透明樹脂折板の面構造体をパネル化することにより、透光防波柵の施工工期を短縮することができる。また、本発明では、透明樹脂折板を透明樹脂折板の内側形状に密着できる同形状のボックス型受金物と透明樹脂折板の外側形状に密着できる同形状の押え金物フレームによって、それぞれ止水用スポンジゴムパッキンを介して、ボックス型受金物と押え金物フレームの面で透明樹脂折板を挟み込み、折板形状の傾斜部の中央を貫通ボルトで固定する構造としているため、大きな波力（荷重）を受けても透明樹脂折板と折板固定用取付金物が脱離すること無く、なおかつ、透明樹脂折板が大きな波力（荷重）を受け変形しても、その変形に固定用取付金物が追従できるため、透明樹脂折板取付部の破壊を無くすることができる。
【００１２】
透明樹脂折板と取付金具の脱離については、載荷実験により実証済みである。
【発明を実施するための最良の形態】
【００１３】
以下、本発明の実施の形態に係る透光防波柵について図面を参照して説明する。
【００１４】
図１から図６は、この発明の実施の形態に係る透光防波柵を示し、図１が全体正面図、図２が平面図、図３が側断面図、図４が重ね部の一部を拡大した側断面図、図５が一部を拡大した側断面図、図６が一部を拡大した平断面図である。
【００１５】
図１において、本発明の実施の形態に係る透光防波柵は、所定の間隔に設置された支柱１０間に取り付けられた一体化した透明樹脂折板パネル１２を備えている。
【００１６】
一体化した透明樹脂折板パネル１２は、フレーム金物１４とフレーム金物１４間に設置された透明樹脂折板１６、１８とを有している。透明樹脂折板１６、１８は、引張強度、曲げ強度、衝撃強度の非常に強いポリカーボネート製の折板が用いられる。透明樹脂折板１６、１８は、受ける波力（荷重）に基づき、より経済的な板厚・山高・山間隔(ピッチ)に構造計算値により決定されている。例えば、傾斜角は２０度〜９０度、板厚2m/m〜12m/mである。
【００１７】
図２は、支柱１０と一体化した透明樹脂折板パネル１２をボルト２０によって取り付けた状態を平面的に示した図である。
【００１８】
図３は、支柱１０と一体化した透明樹脂折板パネル１２をボルト２０によって取り付けた状態を側断面的に示した図であり、上部が海側向けて傾斜した透明樹脂折板パネル１２が示されている。
【００１９】
図４は、透明樹脂折板１６、１８を上下に連続し折板形状の傾斜部で重ね部２２を密着させた部分の拡大側断面図である。透明樹脂折板１６、１８をボックス型受金物２４と押え金物フレーム２６の間にそれぞれスポンジゴムパッキン２８を介して、ボックス型受金物２４と押え金物フレーム２６の面で透明樹脂折板１６、１８を挟み込む構造とし、折板形状の傾斜部の中央でボルト３０によって固定し、ボックス型受金物２４とフレーム金物１４をボルト２０で固定一体化させて、支柱１０とフレーム金物１４をボルト２０によって固定配置した状態を拡大し模式的に示した図である。
【００２０】
図５は、図４の折板形状の傾斜部での重ねの無い一般部における拡大側断面図である。
【００２１】
図６は、支柱１０と一体化した透明樹脂折板パネル１２をボルト２０で取り付けた状態の拡大した平断面図である。透明樹脂折板１６を透明樹脂折板１６の内側形状に密着できる同形状のボックス型受金物２４と透明樹脂折板１６の外側形状に密着できる同形状の押え金物フレーム２６の間に、それぞれスポンジゴムパッキン２８を介してボックス型受金物２４と押え金物フレーム２６の面で透明樹脂折板１６を挟み込む構造とし、折板形状の傾斜部の中央をボルト３０で固定し、ボックス型受金物２４とフレーム金物１４をボルト３２で固定一体化させて、支柱１０とフレーム金物１４をボルト２０で固定配置した状態を拡大し模式的に示した図である。
【００２２】
なお、フレーム金物１４、ボックス型受金物２４、押え金物フレーム２６は、鋼などの金属材料で構成されている。
【００２３】
以上のように構成された一体化した透明樹脂折板パネル１２は、例えばボルト２０のような固定手段で支柱１０に固定される。
【００２４】
上記の如く構成された透光防波柵によれば、高価なポリカーボネート板である透明樹脂折板１６、１８を折板形状に成形加工することにより大きな断面係数を得ることができ、大きな波力（荷重）にも耐えうる構造となり、同じ波力（荷重）の条件のもとで、ポリカーボネート平板を採用した場合とポリカーボネート折板（透明樹脂折板１６、１８）を採用した場合を比較すると、折板形状のポリカーボネート板の板厚が平板に比べ極端に薄くすることが可能となり、材料コストを下げることができ、比較的安価な透光防波柵を提供することができる。しかも、透明樹脂折板１６、１８の挟み込み折板形状の傾斜部の中央をボルト３０によって固定しているので、透明樹脂折板１６、１８が荷重を受けてもボルト３０の取付部に引っ張り荷重は加わらず、ボルト３０の取付部がその荷重で破損することはない。これに対して、透明樹脂折板１６、１８を荷重が加わる方向と平行にボルトで固定した場合には、ボルトの取付部に引っ張り荷重が加わるため、ポリカーボネート板である透明樹脂折板１６、１８にちぎれや割れが生じるという問題が発生する。
【００２５】
また、透明樹脂折板１６、１８の面構造体をパネル化することにより、透光防波柵の施工工期を短縮することができる。更に、透明樹脂折板１６を透明樹脂折板１６の内側形状に密着できる同形状のボックス型受金物２４と透明樹脂折板１６の外側形状に密着できる同形状の押え金物フレーム２６によって、それぞれ止水用スポンジゴムパッキン２８を介して、ボックス型受金物２４と押え金物フレーム２６の面で透明樹脂折板１６を挟み込み、折板形状の傾斜部の中央を貫通ボルト２０で固定する構造としているため、大きな波力（荷重）を受けても透明樹脂折板１６と折板固定用取付金物（ボックス型受金物２４と押え金物フレーム２６）が脱離すること無く、なおかつ、透明樹脂折板１６、１８が大きな波力（荷重）を受け変形しても、その変形に固定用取付金物が追従できるため、透明樹脂折板取付部の破壊を無くすることができる。
【００２６】
本発明は、以上の発明の実施の形態に限定されることなく、特許請求範囲に記載された発明の範囲内で、種々の変更が可能であり、それらも本発明の範囲内に包含されるものであることはいうまでもない。
【００２７】
例えば、前記実施の形態では、ボックス型受金物２４と押え金物フレーム２６で、透明樹脂折板１６、１８を挟み込み折板形状の傾斜部の中央をボルト３０によって固定することにより一体化した透明樹脂折板パネルとなるが、ボックス型受金物２４とボックス型受金物２４で透明樹脂折板１６、１８を挟み込み折板形状の傾斜部の中央をボルト３０によって固定し一体化した透明樹脂折板パネルとしてもよい。
【図面の簡単な説明】
【００２８】
【図１】本発明の実施の形態に係る透光防波柵を示した図である。
【図２】図１の透光防波柵の平面図である。
【図３】図１の透光防波柵の側断面図である。
【図４】図１の透光防波柵の側断面拡大図である。
【図５】図１の透光防波柵の側断面拡大図である。
【図６】図１の透光防波柵の平断面図である。
【符号の説明】
【００２９】
１０…支柱、１２…透明樹脂折板パネル、１４…フレーム金物、１６、１８…透明樹脂折板、２０…ボルト、２２…重ね部、２４…ボックス型受金物、２６…押え金物フレーム、２８…スポンジゴムパッキン、３０…ボルト、３２…ボルト
【図１】
2008196236.tif 000003
【図２】
2008196236.tif 000004
【図３】
2008196236.tif 000005
【図４】
2008196236.tif 000006
【図５】
2008196236.tif 000007
【図６】
2008196236.tif 000008